【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】
文書画像データを入力する文書画像データ入力ステップと、
前記文書画像データ入力ステップで入力された前記文書画像データに合成すべき付加情報を入力する付加情報入力ステップと、
前記付加情報入力ステップで入力された付加情報を符号化する符号化ステップと、
前記符号化ステップで符号化された付加情報に応じてパターン画像データを生成するパターン生成ステップと、
前記パターン生成ステップで生成されたパターン画像データと前記文書画像データとを合成して合成文書画像データを生成する画像合成ステップと、
前記画像合成ステップで生成された前記合成文書画像データを出力する出力ステップと、
を備えたことを特徴とする画像生成方法。
【請求項２】
文書画像データを入力する文書画像データ入力ステップと、
前記文書画像データ入力ステップで入力された前記文書画像データに合成すべき付加情報を入力する付加情報入力ステップと、
前記付加情報入力ステップで入力された前記付加情報から機械可読コードを生成するためのコード化情報を取得し、該コード化情報を符号化する符号化ステップと、
前記付加情報入力ステップで入力された前記付加情報から潜像画像を生成するための潜像画像情報を取得し、該潜像画像情報から潜像文字画像データを生成する潜像生成ステップと、
前記潜像生成ステップで生成された潜像文字画像データと前記符号化ステップで符号化されたコード化情報とに応じてパターン画像データを生成するパターン生成ステップと、
前記パターン生成ステップで生成されたパターン画像データと前記文書画像データとを合成して合成文書画像データを生成する画像合成ステップと、
前記画像合成ステップで生成された前記合成文書画像データを出力する出力ステップと、
を備えたことを特徴とする画像生成方法。
【請求項３】
文書画像データを入力する文書画像データ入力ステップと、
前記文書画像データ入力ステップで入力された前記文書画像データに合成すべき付加情報を入力する付加情報入力ステップと、
前記付加情報入力ステップで入力された前記付加情報から機械可読コードを生成するためのコード化情報を取得し、該コード化情報を符号化する符号化ステップと、
前記付加情報入力ステップで入力された前記付加情報から潜像画像を生成するための潜像画像情報として潜像として埋め込む潜像文字列を取得し、該潜像文字列から潜像文字画像データを生成する潜像生成ステップと、
前記潜像生成ステップで生成された潜像文字画像データを参照し、前記符号化ステップで符号化されたコード化情報をコード変換してコードデータを生成するコードデータ生成ステップと、
前記コードデータ生成ステップで生成された前記コードデータに応じてパターン画像データを生成するパターン生成ステップと、
前記パターン生成ステップで生成されたパターン画像データと前記文書画像データとを合成して合成文書画像データを生成する画像合成ステップと、
前記画像合成ステップで生成された前記合成文書画像データを出力する出力ステップと、
を備えたことを特徴とする画像生成方法。
【請求項４】
前記付加情報は、プリントジョブを送信したコンピュータのＩＰアドレス、プリントジョブを送信したユーザ名、プリントする文書ファイル名、プリントする文書のタイムスタンプ、文書ファイルに設定された機密レベル、及び文書ファイルに設定されたパスワードのうちの少なくとも一つがコード化情報として含まれることを特徴とする請求項１乃至３のいずれか１項に記載の画像生成方法。
【請求項５】
前記文書画像データは、文書データから生成されることを特徴とする請求項１乃至４のいずれか１項に記載の画像生成方法。
【請求項６】
前記文書データがＰＤＬで記述されたＰＤＬデータであり、前記ＰＤＬデータをラスタ展開して２値画像化された文書画像データを生成することを特徴とする請求項５に記載の画像生成方法。
【請求項７】
前記付加情報は、前記文書データに付加されていることを特徴とする請求項５又は６に記載の画像生成方法。
【請求項８】
前記文書データがＰＤＬで記述されたＰＤＬデータであり、前記付加情報が前記ＰＤＬデータのヘッダー部に付加されていることを特徴とする請求項５乃至７のいずれか１項に記載の画像生成方法。
【請求項９】
前記潜像生成ステップにおいて、２値画像化された潜像文字画像データが生成されることを特徴とする請求項２乃至８のいずれか１項に記載の画像生成方法。
【請求項１０】
前記パターン画像データは、ドットパターンから構成されていることを特徴とする請求項１乃至９のいずれか１項に記載の画像生成方法。
【請求項１１】
前記符号化ステップにおいて、前記付加情報を誤り訂正符号化することを特徴とする請求項１乃至１０のいずれか１項に記載の画像生成方法。
【請求項１２】
前記コードデータ生成ステップにおいて、符号化された付加情報のビット列を所定の大きさの単位二次元配列に並べ替えることを特徴とする請求項３乃至１１のいずれか１項に記載の画像生成方法。
【請求項１３】
前記コードデータ生成ステップにおいて、前記単位二次元配列が繰り返し並べられコードデータが生成されることを特徴とする請求項１２に記載の画像生成方法。
【請求項１４】
前記パターン生成ステップにおいて、前記潜像画像の潜像部分及び背景部分のいずれか一方に機械可読コードが設けられるようにパターン画像データを生成することを特徴とする請求項２乃至１３のいずれか１項に記載の画像生成方法。
【請求項１５】
請求項１乃至１４のいずれか１項に記載の画像生成方法により生成された合成文書画像から機械可読コードを機械により読み取り、前記付加情報を検出する情報検出方法。
【請求項１６】
文書画像データを入力する文書画像データ入力手段と、
前記文書画像データ入力手段で入力された前記文書画像データに合成すべき付加情報を入力する付加情報入力手段と、
前記付加情報入力手段で入力された付加情報を符号化する符号化手段と、
前記符号化手段で符号化された付加情報に応じてパターン画像データを生成するパターン生成手段と、
前記パターン生成手段で生成されたパターン画像データと前記文書画像データとを合成して合成文書画像データを生成する画像合成手段と、
前記画像合成手段で生成された前記合成文書画像データを出力する出力手段と、
を備えたことを特徴とする画像生成装置。
【請求項１７】
文書画像データを入力する文書画像データ入力手段と、
前記文書画像データ入力手段で入力された前記文書画像データに合成すべき付加情報を入力する付加情報入力手段と、
前記付加情報入力手段で入力された前記付加情報から機械可読コードを生成するためのコード化情報を取得し、該コード化情報を符号化する符号化手段と、
前記付加情報入力手段で入力された前記付加情報から潜像画像を生成するための潜像画像情報を取得し、該潜像画像情報から潜像文字画像データを生成する潜像生成手段と、
前記潜像生成手段で生成された潜像文字画像データと前記符号化手段で符号化されたコード化情報とに応じてパターン画像データを生成するパターン生成ステップと、
前記パターン生成ステップで生成されたパターン画像データと前記文書画像データとを合成して合成文書画像データを生成する画像合成手段と、
前記画像合成手段で生成された前記合成文書画像データを出力する出力手段と、
を備えたことを特徴とする画像生成装置。
【請求項１８】
文書画像データを入力する文書画像データ入力手段と、
前記文書画像データ入力手段で入力された前記文書画像データに合成すべき付加情報を入力する付加情報入力手段と、
前記付加情報入力手段で入力された前記付加情報から機械可読コードを生成するためのコード化情報を取得し、該コード化情報を符号化する符号化手段と、
前記付加情報入力手段で入力された前記付加情報から潜像画像を生成するための潜像画像情報として潜像として埋め込む潜像文字列を取得し、該潜像文字列から潜像文字画像データを生成する潜像生成手段と、
前記潜像生成手段で生成された潜像文字画像データを参照し、前記符号化手段で符号化されたコード化情報をコード変換してコードデータを生成するコードデータ生成手段と、
前記コードデータ生成手段で生成された前記コードデータに応じてパターン画像データを生成するパターン生成手段と、
前記パターン生成手段で生成されたパターン画像データと前記文書画像データとを合成して合成文書画像データを生成する画像合成手段と、
前記画像合成手段で生成された前記合成文書画像データを出力する出力手段と、
を備えたことを特徴とする画像生成装置。
【請求項１９】
請求項１６乃至１８のいずれか１項に記載の画像生成装置により生成された合成文書画像から機械可読コードを機械により読み取り、前記付加情報を検出する情報検出装置。
【請求項２０】
複写による偽造が禁止されている文書データに基づいて画像を生成する画像生成方法であって、
前記文書データに関し予め定められた付加情報に基づいて、潜像部分及び背景部分のいずれか一方に機械可読コードが設けられた複写偽造防止画像データを生成し、
生成された複写偽造防止画像データと前記文書データとを合成し、
合成された合成文書画像データに基づいて画像を生成する画像生成方法。
【請求項２１】
前記複写偽造防止画像データを、
潜像部分に機械可読コードを設けた場合には、背景部分に複写機で複写されない画像を設けて構成し、背景部分に機械可読コードを設けた場合には、潜像部分に複写機で複写されない画像を設けて構成する請求項２０に記載の画像生成方法。
【請求項２２】
前記予め定められた付加情報は、機械可読コードを生成するためのコード化情報及び潜像画像情報の少なくとも一方を含み、前記文書データに付加されて入力される請求項２０または２１に記載の画像生成方法。
【請求項２３】
生成される前記機械可読コードは、面積が略等しく形状が異なる複数のパターンで構成される請求項２０乃至２２のいずれか１項に記載の画像生成方法。
【請求項２４】
複写による偽造が禁止されている文書データに基づいて画像を生成する画像生成装置であって、
前記文書データに関し予め定められた付加情報を入力する入力手段と、
入力された情報に基づいて、潜像部分及び背景部分のいずれか一方に機械可読コードが設けられた複写偽造防止画像データを生成する生成手段と、
生成された複写偽造防止画像データと文書データとを合成する合成手段と、
を含み、
合成された合成文書画像データに基づいて画像を生成する画像生成装置。
【請求項２５】
前記生成手段は、前記情報の誤り訂正符号化処理を行った後に、前記複写偽造防止画像データを生成する請求項２４に記載の画像生成装置。
【請求項２６】
前記生成手段は、潜像部分及び背景部分のいずれか一方に機械可読コードが配置されるように制御する配置制御手段を備える請求項２４に記載の画像生成装置。